【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
印刷装置に印刷ジョブを送信する携帯端末であって、
前記携帯端末と前記印刷装置との間で無線ＬＡＮ接続を確立する確立手段と、
前記携帯端末と前記印刷装置との間の距離が閾値を超えた場合に、前記携帯端末と前記印刷装置との間で確立している前記無線ＬＡＮ接続を切断する切断手段と
を備えることを特徴とする携帯端末。
【請求項２】
前記携帯端末と前記印刷装置との間の距離を特定する特定手段を更に備え、
前記特定手段が特定した距離が前記閾値を超えた場合に、前記切断手段は、前記無線ＬＡＮ接続を切断する
ことを特徴とする請求項１に記載の携帯端末。
【請求項３】
近距離通信を実行する近距離通信手段を更に備え、
前記近距離通信手段は、前記無線ＬＡＮ接続を確立するための通信を前記印刷装置と実行し、
前記特定手段は、前記携帯端末の現在位置と、前記近距離通信手段が前記印刷装置と前記近距離通信を実行したときの前記携帯端末の位置とに基づいて、前記携帯端末と前記印刷装置との間の距離を特定する
ことを特徴とする請求項２に記載の携帯端末。
【請求項４】
前記携帯端末の位置は、ＧＰＳによって特定されることを特徴とする請求項３に記載の携帯端末。
【請求項５】
前記近距離通信手段は、ＮＦＣに基づく通信を実行することを特徴とする請求項３又は４に記載の携帯端末。
【請求項６】
印刷装置に印刷ジョブを送信する携帯端末の制御方法であって、
前記携帯端末と前記印刷装置との間で無線ＬＡＮ接続を確立する確立工程と、
前記携帯端末と前記印刷装置との間の距離が閾値を超えた場合に、前記携帯端末と前記印刷装置との間で確立している前記無線ＬＡＮ接続を切断する切断工程と
を備えることを特徴とする携帯端末の制御方法。
【請求項７】
前記携帯端末と前記印刷装置との間の距離を特定する特定工程を更に備え、
前記特定工程で特定された距離が前記閾値を超えた場合に、前記切断工程において前記無線ＬＡＮ接続を切断する
ことを特徴とする請求項６に記載の携帯端末の制御方法。
【請求項８】
近距離通信を実行する近距離通信工程を更に備え、
前記近距離通信工程では、前記無線ＬＡＮ接続を確立するための通信を前記印刷装置と実行し、
前記特定工程では、前記携帯端末の現在位置と、前記近距離通信工程において前記印刷装置と前記近距離通信を実行したときの前記携帯端末の位置とに基づいて、前記携帯端末と前記印刷装置との間の距離を特定する
ことを特徴とする請求項７に記載の携帯端末の制御方法。
【請求項９】
前記携帯端末の位置は、ＧＰＳによって特定されることを特徴とする請求項８に記載の携帯端末の制御方法。
【請求項１０】
前記近距離通信工程では、ＮＦＣに基づく通信を実行することを特徴とする請求項８又は９に記載の携帯端末の制御方法。
【請求項１１】
請求項６から１０のいずれか１項に記載の携帯端末の制御方法の各工程をコンピュータに実行させるためのプログラム。
【手続補正２】
【補正対象書類名】明細書
【補正対象項目名】発明の名称
【補正方法】変更
【補正の内容】
【発明の名称】携帯端末及びその制御方法とプログラム
【手続補正３】
【補正対象書類名】明細書
【補正対象項目名】０００８
【補正方法】変更
【補正の内容】
【０００８】
上記目的を達成するために本発明の一態様に係る携帯端末は以下のような構成を備える。即ち、
印刷装置に印刷ジョブを送信する携帯端末であって、
前記携帯端末と前記印刷装置との間で無線ＬＡＮ接続を確立する確立手段と、
前記携帯端末と前記印刷装置との間の距離が閾値を超えた場合に、前記携帯端末と前記印刷装置との間で確立している前記無線ＬＡＮ接続を切断する切断手段と
を備えることを特徴とする
【手続補正４】
【補正対象書類名】明細書
【補正対象項目名】０００２
【補正方法】変更
【補正の内容】
【０００２】
近年、スマートフォンやタブレットＰＣが大きな市場を形成している中で、これら携帯端末とパソコン、デジタルカメラ、プリンタ等の通信は無線ＬＡＮが一般的となっており、無線ＬＡＮの通信機能を搭載した機器が普及している。こうした機器間での無線ＬＡＮ通信を確立するための簡易的な手法として、Ｗｉ−Ｆｉ ＡｌｌｉａｎｃｅによってＷｉ−Ｆｉ Ｄｉｒｅｃｔが策定されている（非特許文献１参照）。このＷｉ−Ｆｉ Ｄｉｒｅｃｔで規定されているアーキテクチャは３つ存在する。１つ目は、２つの無線ＬＡＮ搭載機器が１対１で接続されるＯｎｅ−ｔｏ−ｏｎｅ ｃｏｎｆｉｇｕｒａｔｉｏｎである。２つ目は、複数の無線ＬＡＮ搭載機器が１対Ｎで接続されるＯｎｅ−Ｔｏ−ｍａｎｙ ｃｏｎｆｉｇｕｒａｔｉｏｎである。３つ目は、１つの無線ＬＡＮ搭載機器がアクセスポイントと同時に他の無線ＬＡＮ搭載機器に接続されるＣｏｎｃｕｒｒｅｎｔ Ｗｉ−Ｆｉ ＡＰ ａｎｄ ｐｅｅｒ−Ｔｏ−ｐｅｅｒ ｃｏｎｎｅｃｔｉｏｎである。これら何れのアーキテクチャにおいても、Ｗｉ−Ｆｉ Ｄｉｒｅｃｔで接続される機器の数は有限であるため、不要なＷｉ−Ｆｉ Ｄｉｒｅｃｔ通信は切断するのが望ましい。このため、送受信されるデータの更新情報に基づいて無線通信の切断を機器が自律的に行う技術が提案されている（特許文献１参照）。
【手続補正５】
【補正対象書類名】明細書
【補正対象項目名】００１８
【補正方法】変更
【補正の内容】
【００１８】
イメージバスＩ／Ｆ１０９は、システムバス１１４と画像処理を担当する各ブロックを接続している画像バス１１５との中継、データ構造の変換を担う。画像バス１１５には、ＲＩＰ１１０、デバイスＩ／Ｆ１１１、プリンタ画像処理部１１２、スキャナ画像処理部１１３が接続されている。ＲＩＰ１１０はラスタイメージプロセッサ（ＲＩＰ）であり、ページ記述言語（ＰＤＬ）コードやディスプレイリストをビットマップイメージに変換する。デバイスＩ／Ｆ１１１は、スキャナ部１３０やプリンタ部１４０と画像バス１１５を接続するインタフェースであり、スキャナ部１３０とはスキャナバス１１６を介して接続され、プリンタ部１４０とはプリンタバス１１７を介して接続される。デバイスＩ／Ｆ１１１は、スキャナ部１３０からスキャナバス１１６を介して受信した画像データを画像バス１１５に送信するためのタイミング調整を行う。また、デバイスＩ／Ｆ１１１は、画像バス１１５からプリンタバス１１７を介してプリンタ部１４０への画像データ送信のためのタイミング調整を行う。スキャナ画像処理部１１３は、スキャナ部１３０が生成した画像データに対し、画像形成装置１００に応じた補正、解像度変換等の処理を行う。プリンタ画像処理部１１２は、印刷対象の画像データに対して、プリンタ部１４０に応じた補正、解像度変換、等の処理を行う。
【手続補正６】
【補正対象書類名】明細書
【補正対象項目名】００３６
【補正方法】変更
【補正の内容】
【００３６】
以上説明したように実施形態１によれば、携帯端末３００と画像形成装置１００とが無線接続しているときに、携帯端末３００が省電力状態に移行する条件が満足されて携帯端末が省電力状態に移行する際、画像形成装置１００との無線接続を切断できる。これにより、携帯端末３００が自律的に無線接続を切断することができる。
【手続補正７】
【補正対象書類名】明細書
【補正対象項目名】００４６
【補正方法】変更
【補正の内容】
【００４６】
更に、画像形成装置１００に依存して、ネットワーク用のプロトコルスタックが１回線分のみ実装されている場合も考えられる。この場合、通常は、有線ＬＡＮモジュール１０７、或いは、無線ＬＡＮモジュール１０８をオフィスの基幹ネットワークに接続している。そしてＷｉ−Ｆｉ Ｄｉｒｅｃｔの実行に伴い、基幹ネットワークとの通信を切断した後、無線ＬＡＮモジュール１０８を介して携帯端末３００と無線ＬＡＮ通信８００を確立する。そしてＷｉ−Ｆｉ Ｄｉｒｅｃｔ通信を切断した後、直前の通信状態（有線ＬＡＮモジュール１０７、或いは、無線ＬＡＮモジュール１０８での通信）へ制御を変更することも可能である。
【手続補正８】
【補正対象書類名】明細書
【補正対象項目名】００６９
【補正方法】変更
【補正の内容】
【００６９】
携帯端末３２０は、無線ＬＡＮ通信８００が確立した後、Ｓ１３０２で無線ＬＡＮ通信８００を介して携帯端末３２０の位置情報を画像形成装置１００に送信する。これによりＳ１３０３で画像形成装置１００は、無線ＬＡＮ通信８００を介して受信した携帯端末３２０の位置情報に基づき、画像形成装置１００と携帯端末３２０間の距離を算出する。Ｓ１３０４で画像形成装置１００は、画像形成装置１００及び携帯端末３２０間の距離が一定の条件を満たしたと判定すると、Ｓ７０１で無線ＬＡＮ通信８００の切断処理を行う。これにより携帯端末３２０は、無線ＬＡＮ通信８００が切断されたことを検出して、自身の無線ＬＡＮ通信８００切断処理を実行する（Ｓ７０２）。そしてＳ１１０３でＧＰＳモジュール１００１の機能を停止させる終了処理を行う。
【手続補正９】
【補正対象書類名】明細書
【補正対象項目名】００７２
【補正方法】変更
【補正の内容】
【００７２】
次にＳ１４０３に進みＣＰＵ１０１は、ＮＦＣ通信７００を介して携帯端末３２０から画像形成装置１００の位置情報を受信してＲＡＭ１０２に格納する。次にＳ１４０４に進みＣＰＵ１０１は、携帯端末３２０と画像形成装置１００との間で決められたシーケンスに基づき、Ｗｉ−Ｆｉ Ｄｉｒｅｃｔ接続を実行する。こうしてＳ１４０５でＣＰＵ１０１は、システムバス１１４を介して無線ＬＡＮモジュール１０８内の状態を示すレジスタ（不図示）を参照して、無線ＬＡＮ通信８００が確立しているか否かを判定する。ここで無線ＬＡＮモジュール１０７が通信確立していない場合はＳ１４０５で、無線ＬＡＮ通信８００が確立まで待つ。こうしてＳ１４０５でＣＰＵ１０１が、無線ＬＡＮ通信８００が確立していると判定するとＳ１４０６に進みＣＰＵ１０１は、携帯端末３２０から無線ＬＡＮ通信８００を介して携帯端末３２０のＩＤ情報及び位置情報の受信待ちに進む。
【手続補正１０】
【補正対象書類名】明細書
【補正対象項目名】００７４
【補正方法】変更
【補正の内容】
【００７４】
尚、実施形態４に係る画像形成装置１００は、複数の携帯端末３２０と接続可能なＷｉ−Ｆｉ Ｄｉｒｅｃｔを想定している。１対１接続形態のＷｉ−Ｆｉ Ｄｉｒｅｃｔでは、携帯端末３２０のＩＤ情報を受信しなくても、携帯端末３２０との間の無線ＬＡＮ通信の切断処理を実行できる。
【手続補正１１】
【補正対象書類名】明細書
【補正対象項目名】００７６
【補正方法】変更
【補正の内容】
【００７６】
更に、画像形成装置１００にネットワーク用のプロトコルスタックが１回線分のみ実装されている場合も考えられる。この場合、通常は、有線ＬＡＮモジュール１０７、或いは、無線ＬＡＮモジュール１０８をオフィスの基幹ネットワークに接続しておく。そしてＷｉ−Ｆｉ Ｄｉｒｅｃｔの実行に伴い、基幹ネットワークとの通信を切断した後、無線ＬＡＮモジュール１０８を介して携帯端末３２０と無線ＬＡＮ通信８００を確立する。そしてＷｉ−Ｆｉ Ｄｉｒｅｃｔ通信を切断した後に、直前の通信状態（有線ＬＡＮモジュール１０７、或いは、無線ＬＡＮモジュール１０８での通信）へ制御を変更することも可能である。
【手続補正１２】
【補正対象書類名】明細書
【補正対象項目名】００８１
【補正方法】変更
【補正の内容】
【００８１】
Ｓ１５１５でＣＰＵ３０１は、無線ＬＡＮ通信８００の接続状況を確認して、画像形成装置１００との間の無線ＬＡＮ通信８００が切断しているかどうかを判定する。無線ＬＡＮ通信８００が切断していると判定した場合はＳ１５１６に進み、ＣＰＵ３０１は、無線ＬＡＮモジュール３０６により無線ＬＡＮの切断処理を行う。続いてＳ１５１７に進みＣＰＵ３０１は、タイマ３０８による計時を停止させ、Ｓ１５１８でＧＰＳモジュール１００１の処理を停止する。またＳ１５１５でＣＰＵ３０１は、無線ＬＡＮ通信８００が切断していないと判定するとＳ１５０９に進み、ユーザの操作を検出したかどうかを判定する。